(57)【特許請求の範囲】
【請求項１】
エアゾール容器の肩部に下端を取外し可能に係合した外周壁と、この外周壁の内方に一定の間隔を介して形成するとともに外周壁と上部壁を介して一体に連結し、外周壁との間に排出室を形成した一対の内周壁とからなるワンタッチキャップに於いて、この内周壁の間隔にステムと連通し、側面にノズルを突出した押釦を、ワンタッチキャップと取り外し可能にヒンジ部を介して接続することにより配置し、この押釦を、ステム及びワンタッチキャップから取り外した状態でステムへの連通口とは反対側の本体部を嵌合し得る嵌合凹部を内周壁に形成し、この嵌合凹部を、押釦の本体部を嵌合した状態でエアゾール容器のステムを押釦に接続可能とし、この接続状態でステムが押圧可能状態となり、残留内容物の排出を可能とするとともに、押釦を嵌合凹部に嵌合した際にノズルの先端が外周壁の内面と対向するよう設け、排出したエアゾール内容物が外周壁と内周壁で形成する排出室内に貯留されることを特徴とするエアゾール容器の残留内容物排出装置。
【請求項２】
ワンタッチキャップは、下端の内周にエアゾール容器の肩部と取り外し可能に係合する係合リブを設けたことを特徴とする請求項１のエアゾール容器の残留内容物排出装置。
【発明の詳細な説明】
【技術分野】
【０００１】
本発明は、エアゾール製品を廃棄する際に、残留内容物を全量排出するためのエアゾール容器の残留内容物排出装置に関するものである。
【背景技術】
【０００２】
【特許文献１】特開平８−１３３３６０号公報
【特許文献２】特開平１１−３２１９４３号公報
【特許文献３】特開２００２−８００７７号公報
【特許文献４】特開２００２−２５５２６６号公報
【特許文献５】特開２００２−２８２７４６号公報
【特許文献６】特開２００２−３０２１７５号公報
【特許文献７】特開２００２−３２６６８１号公報
【特許文献８】特開２００３−１２０５８号公報
【特許文献９】特開２００３−１２０６１号公報
【特許文献１０】特開２００３−１６５５８８号公報
【特許文献１１】特開昭４９−１２１２１４号公報
【特許文献１２】特開昭４９−１２９２１８号公報
【特許文献１３】特開２００１−５５２８４号公報
【特許文献１４】特開２００１−１４６２８１号公報
【特許文献１５】特開２００２−１９３３６２号公報
【特許文献１６】特開２００２−２８２７４７号公報
【０００３】
従来、エアゾール容器内に充填された内容物の使用後にエアゾール製品を廃棄する場合、エアゾール容器内に内容物を残留したまま廃棄すると、噴射ガスの膨張による爆発事故を引き起こすなどの問題を生じる虞があった。そのため、特許文献１〜１６に示す如く、エアゾール容器内に残留する内容物を全量排出するための内容物排出装置が提案されている。
【０００４】
例えば、特許文献１では、ステムを押圧する押釦の外周に係合突部を突設し、この係合突部を係合可能な係合受部を、エアゾール容器に接続したワンタッチキャップの内周に形成している。そして、エアゾール製品の使用時は、係合突部が係合受部に係合しない程度の押し下げ量で、押釦を押し下げて内容物の噴射を行う。そして、内容物の使用が終わり、エアゾール容器を廃棄する際には、押釦を大きく押し下げることにより、係合突部を係合受部に係合して、押釦の押圧状態を維持し、バルブを開放状態として内容物を全量排出することを可能としていた。
【０００５】
また、特許文献２、５、６、８においても、押釦及びワンタッチキャップに係合突起とその係合受部を形成しているが、通常の使用時には係合突起と係合受部とを非係合位置に配置し、押釦の押圧や押圧解除による復元が何等阻止されることはない。そして、エアゾール容器の廃棄の際は、押釦を押圧した状態で当該押釦を円周方向に回動することにより、係合突起と係合受部とが係合するものである。この係合により、押釦の押圧状態が維持され、内容物の全量排出を可能とするものであった。
【０００６】
また、特許文献３、４、７では、押釦に係合突起又は係合溝を設け、この係合突起に係合または係合溝に挿入係合可能な係合部材をワンタッチキャップに設けている。そして、エアゾール容器の廃棄時に、押釦を押圧した後に、前記係合部材を折り曲げ又は弾性変形させて、係合部材を押釦の係合突起に係合又は係合溝に挿入することにより、押釦を固定して押圧状態を維持して内容物の全量排出を可能とするものであった。
【０００７】
また、特許文献９では、押釦に設けた回動レバーを回動することにより、押釦の押圧状態で回動レバーの係合突起をワンタッチキャップの係合受部に係合することにより、内容物の連続排出を可能としている。一方、特許文献１０では、押釦を被覆するヘッドカバー内面に板状の押圧部材を突設し、押釦の上面にこの押圧部材により押圧可能な係合段部を形成している。そして、常時は押圧部材と係合段部とを非係合位置に配置し、廃棄時には、ヘッドカバーを回動して、押圧部材にて係合段部を押圧することにより、押釦を押し下げるとともにその押圧状態を維持して、エアゾール容器内の内容物を全量排出するものであった。
【０００８】
また、特許文献１１、１２では、押釦の押圧状態を保つための釘状の押圧部材を製作し、この押圧部材をエアゾール容器に接続するキャップに装着する。そして、エアゾール容器の廃棄時は、キャップを一旦外し、キャップ内部の貫通孔又は挿通溝に、前記釘状の押圧部材を挿通し、再びキャップをエアゾール容器に装着する。この装着により、押圧部材が押釦を押圧してバルブ機構を開放するとともに、押釦の押圧状態を維持することにより、エアゾール容器内の内容物の全量排出を可能とするものであった。
【０００９】
また、特許文献１３、１４においても、押釦の押圧部材を別個に形成して、廃棄時には、キャップに押圧部材を適宜取り付け、この押圧部材にて押釦を押圧するとともにこの押圧状態を維持して、内容物の全量排出を可能とするものであった。
【００１０】
また、特許文献１５では、ワンタッチキャップの内周壁側に向けた複数の突起を押釦に設け、この突起を嵌着するための深、浅２種類の切欠部をそれぞれ設ける。そして、通常の使用状態では深切欠部に押釦の突起を嵌着してワンタッチキャップをエアゾール容器に嵌合し、押釦を指等で押圧すると内容物を排出可能とする。また、廃棄時には突起を浅切欠部に嵌着してワンタッチキャップをエアゾール容器に嵌合すると、内容物の噴出状態が継続でき、残留内容物の全量排出を可能とするものである。
【００１１】
また、特許文献１６では、廃棄時に、ワンタッチキャップを倒立状態とし、噴射口がワンタッチキャップの内面側を向くように押釦を回転して調整し、倒立状態としたエアゾール容器をワンタッチキャップに嵌合することにより、押圧片が押釦を押圧する状態を維持して内容物の全量排出を可能とするとともに、噴射した内容物をワンタッチキャップの内壁に衝突させて内容物の外部への放出を抑制するものである。
【発明の開示】
【発明が解決しようとする課題】
【００１２】
しかしながら、上記特許文献１では、係合突部により押釦の押し下げ量が制限され、通常の使用時に押釦の大きな押し下げができず、内容物の大量噴射を行うのが困難であるし、逆に、押釦の過剰な押し下げにより係合突部と係合受部とを誤って係合してしまう虞もあった。また、特許文献２、５、６、８では、押釦を押し下げながら円周方向に回動するのは、大きな力を必要とし、位置合わせの微調整が困難である。また、特許文献３、４、７では、ワンタッチキャップから係合部材が突出して邪魔となったり、内容物の噴射圧及び係合部材の弾性復元力と相俟って、係合部材と押釦との係合が解除される虞もあった。
【００１３】
また、特許文献９では、回動レバーの構造が複雑でコスト高となったり、回動レバーの脱落による紛失等の心配もあった。また、特許文献１０では、押釦の押圧を維持するためにヘッドカバーを頑丈に形成する必要があり、やはりコスト高となったり、エアゾール装置が嵩張ってしまう可能性があった。
【００１４】
また、特許文献１１〜１４でも、押圧部材を別個に形成する必要があってコスト高となるとともに、押圧部材を取り付けたキャップ内部を確認しにくく、押圧部材と押釦との位置合わせを正確に行うのが困難であった。
【００１５】
また、上記の特許文献１〜１４はいずれも複雑な構成を必要とし、装置を高価なものにするとともに、使用に複雑な手順を要求するものであった。
【００１６】
また、特許文献１５では、押釦の突起や２種類の切欠きを設けるために複雑な作業を必要とするためコスト高になる可能性がある。また、上記の各実施例は排出した内容物をそのまま大気中に放出してしまうものであるため、排出内容物が使用者や周囲を汚染する可能性がある。また、特許文献１６の如く、排出内容物を一時的にキャップの内壁面に衝突させて外部への放出を抑制しようとするものも存在するが、内壁面に衝突した内容物は飛散したり、内壁面から外部に流れ出すものであるから、内容物の拡散防止としては極めて不十分なものであった。
【００１７】
そこで本発明は、上述の如き課題を解決しようとするものであって、内容物の使用が終了したエアゾール製品を廃棄する際に、エアゾール容器に残留する内容物の全量を確実に排出することを可能とする。そして、内容物の全量排出により、エアゾール製品の爆発事故を防止しようとするものである。また、内容物の排出を、外部への放出を抑制しやすい排出室内にて行うことにより、少なくとも液体成分の大気中への拡散を大幅に抑制することを可能とするものである。また、簡易な構成とすることにより、廉価な装置を形成しようとするものである。
【課題を解決するための手段】
【００１８】
本発明は、上述の如き課題を解決するため、エアゾール容器の肩部に下端を取外し可能に係合した外周壁と、この外周壁の内方に一定の間隔を介して形成するとともに外周壁と上部壁を介して一体に連結し、外周壁との間に排出室を形成した一対の内周壁とからなるワンタッチキャップに於いて、この内周壁の間隔にステムと連通し、側面にノズルを突出した押釦を、ワンタッチキャップと取り外し可能にヒンジ部を介して接続することにより配置し、この押釦を、ステム及びワンタッチキャップから取り外した状態でステムへの連通口とは反対側の本体部を嵌合し得る嵌合凹部を内周壁に形成し、この嵌合凹部を、押釦の本体部を嵌合した状態でエアゾール容器のステムを押釦に接続可能とし、この接続状態でステムが押圧可能状態となり、残留内容物の排出を可能とするとともに、押釦を嵌合凹部に嵌合した際にノズルの先端が外周壁の内面と対向するよう設け、排出したエアゾール内容物が外周壁と内周壁で形成する排出室内に貯留されるものである。
【００１９】
また、ワンタッチキャップは、下端の内周にエアゾール容器の肩部と取り外し可能に係合する係合リブを設けたものであってもよい。
【発明の効果】
【００２０】
本発明では、上述の如く構成したものであって、エアゾール内容物の通常の噴射を行う場合には、押釦を指などで押圧することにより噴射が可能となる。そして通常噴射が終了し、エアゾール容器を廃棄するためにエアゾール内容物の全量噴射を行う場合には、エアゾール容器から外周壁を取り外し、同時にステムから取り外した押釦を、ステム及びワンタッチキャップから取り外した状態でステムへの連通口とは反対側の本体部を嵌合凹部に嵌合して、エアゾール容器をワンタッチキャップに嵌合し、押釦にステムを接続してエアゾール容器を押圧することにより、全量噴射が可能となる。
【００２１】
このように、エアゾール内容物の全量噴射は、通常噴射とは全く別個の手段により行うため、使用者が通常噴射時に誤って全量噴射を行うことはなく、確実なエアゾール容器内の内容物の全量噴射を行うことができる。また、確実な全量噴射を可能としたことにより、エアゾール製品の廃棄時に起こり得る爆発事故等を防止可能とする。また、排出したエアゾール内容物はワンタッチキャップの外周壁、内周壁、上部壁及びエアゾール容器の上端で被覆した排出室に噴射して貯留するため、エアゾール内容物が外部に拡散することは少なく、安全に全量噴射を行うことができる。また、上述の如く簡易な構成とすることにより、廉価な装置を形成可能とする。
【実施例】
【００２２】
以下、本発明の一実施例を図面において説明すると、（１）はワンタッチキャップで、図２及び図３に示す如く、外周壁（２）の下端をエアゾール容器（３）の肩部（４）に係合リブ（５）を介して係合可能としている。この外周壁（２）の内面側の中央部に、ステム（６）と接続した押釦（７）の挿入間隔を介して一対の内周壁（８）を設け、図２に示す如く、この内周壁（８）と外周壁（２）との上端を上部壁（１０）で連結することにより一定容積の排出室（１１）を形成している。
【００２３】
また、押釦（７）は、図４に示す如く、ステム（６）と連通するための連通口（１２）を底面（１３）に設けるとともに、この連通口（１２）に連通するノズル杆（１４）を側面に突出し、このノズル杆（１４）の先端にエアゾール内容物（１５）を噴射するためのノズル（１６）を形成している。
【００２４】
また、ワンタッチキャップ（１）の内周壁（８）は、図４に示す如く、押釦（７）の本体部（１７）を挿入するための円形部（１８）と、押釦（７）のノズル杆（１４）を挿入するための幅狭の平行部（２０）とから形成している。そして、この内周壁（８）の円形部（１８）と平行部（２０）とを切り欠いて、押釦（７）を、ステム(６)への連通口(１２)とは反対側の本体部(１７)側から嵌合載置するための嵌合凹部（２１）を形成する。この嵌合凹部（２１）は、押釦（７）を、連通口(１２)とは反対側の本体部(１７)側から嵌合載置したときに押釦（７）の本体部（１７）を嵌合する本体嵌合部（２２）と、ノズル杆（１４）を嵌合するノズル嵌合部（２３）とを形成し、押釦（７）を安定良く嵌合載置できるようにするとともに、押釦（７）のノズル（１６）の先端が外周壁（２）の内面と対向して排出室（１１）に配置した状態で、エアゾール容器（３）をワンタッチキャップ（１）に係合したときに、ステム（６）が押釦（７）の連通口（１２）と接続してステム（６）を押圧し得るように位置関係を調整して形成する。
【００２５】
また、製造コストを低く抑えるため、ワンタッチキャップ（１）と押釦（７）は、製造時に於いては、図３に示す如くヒンジ部（２４）で接続して一体として形成している。
【００２６】
上記の如く構成したものにおいて、エアゾール内容物（１５）の通常の噴射時に於いては、図３に示す如く、押釦（７）を介してステム（６）を押し下げると、エアゾール内容物（１５）がノズル杆（１４）を通過して、ノズル（１６）の先端から外部に噴出して、通常噴射状態となる。この通常噴射状態に於いて、押釦（７）には通常噴射以外の機構を一切備えていないため、例えばステム（６）を強く押圧する等の動作があっても、ステム（６）は通常噴射以外の動作を行うことができず、全量噴射等の状態となることはない。したがって、使用者はステム（６）の押し下げ幅などの微調整を要さずに安心して通常噴射を行うことができる。
【００２７】
次に、上記通常噴射によるエアゾール容器（３）の使用が終了し、エアゾール容器（３）の廃棄のための全量噴射を行う場合には、図４に示す如く、ワンタッチキャップ（１）とエアゾール容器（３）の係合を解除するとともにワンタッチキャップ（１）及びステム（６）から押釦（７）を取り外す。そして、ワンタッチキャップ（１）の上部壁（１０）側を下にし、図４及び図５に示す如く、押釦（７）の、連通口(１２)とは反対側の本体部（１７）を内周壁（８）に設けた本体嵌合部（２２）に、ノズル杆（１４）をノズル嵌合部（２３）に嵌合する。そして、エアゾール容器（３）を倒立状態としてワンタッチキャップ（１）に押圧係合する。
【００２８】
そうすると、図１に示す如く、押釦（７）の連通口（１２）とエアゾール容器（３）のステム（６）とが接続するとともに、エアゾール容器（３）の押圧により押釦（７）に突き当たったステム（６）を押圧し、残留しているエアゾール内容物（１５）の排出を可能とする。この押圧状態を継続するには、噴射状態でエアゾール容器（３）の肩部（４）と係合リブ（５）を係合することにより行う。これにより、エアゾール容器（３）への押圧力を解除しても、エアゾール内容物（１５）がノズル（１６）の先端より継続して噴射される全量噴射状態とすることができる。
【００２９】
また、この全量噴射状態でのエアゾール内容物（１５）の噴射は内周壁（８）と外周壁（２）と上部壁（１０）及びエアゾール容器（３）により被覆した排出室（１１）内に於いて行われるから、ノズル（１６）の先端から噴射したエアゾール内容物（１５）は外周壁（２）の内面側に突き当たり排出室（１１）内に排出され、外部に噴射拡散することは少ないものとなるとともに、突き当たったエアゾール内容物（１５）は排出室（１１）に貯留される。次に、全量噴射を終えた場合には、エアゾール容器（３）とワンタッチキャップ（１）との係合を解除して、ワンタッチキャップ（１）の排出室（１１）に貯留したエアゾール内容物（１５）を廃棄すればよいため、周囲の環境に与える負荷を減少し、安全で確実な全量噴射を行うことができるものとなる。
【００３０】
以上のように、確実な全量噴射を可能とすることにより、エアゾール製品の廃棄時に起こり得るエアゾール容器（３）の爆発事故等を防止することが可能となる。
【００３１】
また、本発明のエアゾール容器（３）の残留内容物排出装置は、頭髪用品、化粧品、消臭・制汗剤、その他の人体用品、殺虫剤、コーティング剤、クリーナー、その他の家庭用品、工業用品、自動車用品、食品等のエアゾール製品に用いることができる。そして、頭髪用品として、ヘアースプレー、ヘアートリートメント、ヘアースタイリングフォーム、ヘアーシャンプー・リンス、酸性染毛剤、酸化型２剤タイプ永久染毛剤、カラースプレー・脱色剤、パーマ剤、育毛剤、ヘアートニック、寝癖直しスプレー、髪用フレグランス等に用いることができる。
【００３２】
また、化粧品として、シェービングフォーム、アフターシェーブローション、香水・オーデコロン、洗顔料、日焼け止め、ファンデーション、脱毛・脱色剤、浴用剤等に用いることができる。
【００３３】
また、消臭・制汗剤としては、制汗剤、消臭剤、ボディシャンプー等に用いることができる。また、その他の人体用品としては、筋肉消炎剤、皮膚疾患予防剤、皮膚疾患治療剤、水虫薬、害虫忌避剤、清拭剤、口腔清涼剤、口腔歯磨き剤、傷薬、やけど治療剤等に用いることができる。
【００３４】
また、殺虫剤としては、空間殺虫剤、ゴキブリ殺虫剤、園芸用殺虫剤、殺ダニ剤、不快害虫剤等に用いることができる。また、コーティング剤としては、家庭用塗料、自動車用塗料、アンダーコーティング等に用いることができる。
【００３５】
また、クリーナーとしては、ガラスクリーナー、硬質表面洗浄剤、浴用クリーナー、床・家具艶出しクリーナー、靴・皮革クリーナー、ワックス艶出し剤等に用いることができる。また、その他の家庭用品としては、室内消臭剤、トイレ用消臭剤、防水剤、洗濯糊、除草剤、衣類用防虫剤、防炎剤、除菌剤等に用いることができる。
【００３６】
また、工業用としては、潤滑防錆剤、接着剤、金属探傷剤、離型剤、コーキング剤等に用いることができる。また、自動車用としては、防曇剤、解氷剤、エンジンクリーナー等に用いることができる。その他、動物用品、趣味娯楽用品、食品、例えば、コーヒー、ジュース、クリーム、チーズ等に用いることができる。
【図面の簡単な説明】
【００３７】
【図１】本発明の一実施例を示す全量噴射状態におけるワンタッチキャップ部分の部分断面図。
【図２】通常噴射状態を示すワンタッチキャップ断面図。
【図３】図２の底面図。
【図４】ワンタッチキャップと押釦の分解底面斜視図。
【図５】全量排出状態を示すワンタッチキャップの底面図。
【符号の説明】
【００３８】
１  ワンタッチキャップ
２  外周壁
３  エアゾール容器
４  肩部
５  係合リブ
６  ステム
７  押釦
８  内周壁
１０  上部壁
１１  排出室
１５  エアゾール内容物
１６  ノズル
２１  嵌合凹部
２４  ヒンジ部
【図１】
0004694309.tif 000002
【図２】
0004694309.tif 000003
【図３】
0004694309.tif 000004
【図４】
0004694309.tif 000005
【図５】
0004694309.tif 000006